(57)【特許請求の範囲】
【請求項１】
空気調和機本体と、
この本体に設けられ、通風路を有し、送風機を収納するケーシングと、
このケーシングの終端部分の吹出口に設けられ、吹出空気の左右の風向を制御し、前記吹出口の左側に配置された複数枚のベーンで構成された左ベーンと、前記吹出口の右側に配置された複数枚のベーンで構成された右ベーンとを有する左右風向制御手段と、
この左右風向制御手段の前記左ベーンと前記右ベーンとを各々内側へ向き合うように任意の各吹出方向に向かって幅狭に下流側を塞ぐようにして縮流させる制御手段と、を備え、暖房運転時に高能力運転を選択した場合、前記送風機の回転数を下げると共に、前記左右風向制御手段を前記制御手段により縮流させることを特徴とする空気調和機。
【請求項２】
前記左ベーンと前記右ベーンは、それぞれの複数枚のベーンが等ピッチで配置された構成としたことを特徴とする請求項１記載の空気調和機。
【請求項３】
前記左ベーンは前記吹出口中央から前記吹出口左端までの間に配置された複数枚のベーンで構成され、前記右ベーンは前記吹出口中央から前記吹出口右端までの間に配置された複数枚のベーンで構成されたことを特徴とする請求項１記載の空気調和機。
【請求項４】
前記送風機は、横流ファンが電動機で駆動される構成としたことを特徴とする請求項１記載の空気調和機。
【請求項５】
冷房運転時に高能力運転を選択した場合、前記送風機の回転数を上げると共に、前記左右風向制御手段を前記制御手段により縮流させることを特徴とする請求項１記載の空気調和機。
【請求項６】
前記吹出口に上下風向制御手段を備え、
冷房自動運転時に高能力運転を設定した場合、前記上下風向制御手段を自動的に下吹きとすることを特徴とする請求項５記載の空気調和機。
【請求項７】
前記左右風向制御手段の縮流又は前記左右風向制御手段の縮流及び前記上下風向制御手段の下吹きの設定は、所定時間経過後又は空気調和機の運転が再設定された場合は解除されることを特徴とする請求項５又は請求項６記載の空気調和機。
【請求項８】
前記吹出口に上下風向制御手段を備え、
暖房自動運転時に高能力運転を設定した場合、前記上下風向制御手段を自動的に下吹きとすることを特徴とする請求項１記載の空気調和機。
【請求項９】
暖房運転立ち上げ時は、前記制御手段による縮流と共に、吹出口より吹き出される風の一部を吸込口に向けて送り出すように前記上下風向制御手段を制御するショートサイクル機構も働くことを特徴とする請求項１記載の空気調和機。
【請求項１０】
前記左右風向制御手段の縮流又は前記左右風向制御手段の縮流及び前記上下風向制御手段の下吹き又は前記左右風向制御手段の縮流及び前記ショートサイクル機構の設定は、所定時間経過後又は空気調和機の運転が再設定された場合は解除されることを特徴とする請求項１又は請求項８又は請求項９記載の空気調和機。
【請求項１１】
前記左ベーン及び前記右ベーンの少なくとも一部を多段曲げベーンで構成したことを特徴とする請求項１記載の空気調和機。
【請求項１２】
前記多段曲げベーンを２段曲げベーンで構成したことを特徴とする請求項１１記載の空気調和機。
【請求項１３】
冷媒としてＨＦＣ系冷媒、圧縮機の油としてアルキルベンゼン系油またはポリオールエーテル系油またはエステル系油またはテフロン系油を用いることを特徴とする請求項１記載の空気調和機。
【請求項１４】
冷媒としてＨＣ系冷媒、圧縮機の油としてアルキルベンゼン系油またはポリオールエーテル系油またはエステル系油またはテフロン系油を用いることを特徴とする請求項１記載の空気調和機。
【発明の詳細な説明】
【０００１】
【発明の属する技術分野】
この発明は、室内機の吹出空気の風向と風速を制御することによって快適な室内空間を創出する空気調和機に関する。
【０００２】
【従来の技術】
従来の空気調和機は、冷房時は室内機の吹出口に設けられた上下フラップにより吹出空気を縮流させて水平方向に吹出し、直接人に風を当てないようにするか、または上下フラップと左右風向ベーンとをスイングすることにより冷風感を与える等によって室内空間の冷房快適性を図っていた。
【０００３】
また、暖房立ち上がり時には、上下フラップにより吹出空気を縮流させて風量を減らし吹出空気温度を上げることによって速暖性の向上を図っていた。
【０００４】
【発明が解決しようとする課題】
従来の空気調和機は以上のように構成されているので、冷房時に直接風に当たることによって冷風感を得たい人にとって、上下フラップと左右風向ベーンとをスイングさせるスイング吹出では十分な冷風感が得られなかった。
また、従来の空気調和機は暖房時の速暖方法として、吹出空気温度を上げるために上下フラップを縮流させて風量を減らすという方法をとっていたが、この方法では温風到達距離が悪化するとともに室内空間の快適性をも悪化させていた。
このように吹出空気温度を上げつつ送風騒音を悪化させずに温風の到達距離を伸ばし快適性を向上させるのは困難であった。
【０００５】
この発明は、かかる問題点を解決するためになされたもので、冷房時の冷風感の向上、暖房時の吹出風速の維持、空気調和機の省エネ、これらを容易な構造と安価なコストで達成することができる空気調和機を提供することを目的とする。
【０００６】
【課題を解決するための手段】
この発明に係る空気調和機は、空気調和機本体と、この本体に設けられ、通風路を有し、送風機を収納するケーシングと、このケーシングの終端部分の吹出口に設けられ、吹出空気の左右の風向を制御し、吹出口の左側に配置された複数枚のベーンで構成された左ベーンと、吹出口の右側に配置された複数枚のベーンで構成された右ベーンとを有する左右風向制御手段と、この左右風向制御手段の左ベーンと右ベーンとを各々内側へ向き合うように任意の各吹出方向に向かって幅狭に下流側を塞ぐようにして縮流させる制御手段と、を備えたものである。
【０００７】
また、左ベーンと右ベーンは、それぞれの複数枚のベーンが等ピッチで配置された構成としたものである。
【０００８】
また、左ベーンと右ベーンは、それぞれの複数枚のベーンが不等ピッチで配置された構成としたものである。
【０００９】
また、左ベーンは吹出口中央から吹出口左端までの間に配置された複数枚のベーンで構成され、右ベーンは吹出口中央から吹出口右端までの間に配置された複数枚のベーンで構成されたものである。
【００１０】
また、送風機は、横流ファンが電動機で駆動される構成としたものである。
【００１１】
また、冷房運転時に高能力運転を選択した場合、送風機の回転数を上げると共に、左右風向制御手段を制御手段により縮流させるものである。
【００１２】
また、吹出口に上下風向制御手段を備え、冷房自動運転時に高能力運転を設定した場合、上下風向制御手段を自動的に下吹きとするものである。
【００１３】
また、左右風向制御手段の縮流又は左右風向制御手段の縮流及び上下風向制御手段の下吹きの設定は、所定時間経過後又は空気調和機の運転が再設定された場合は解除されるものである。
【００１４】
また、暖房運転時に高能力運転を選択した場合、送風機の回転数を下げると共に、左右風向制御手段を制御手段により縮流させるものである。
【００１５】
また、吹出口に上下風向制御手段を備え、暖房自動運転時に高能力運転を設定した場合、上下風向制御手段を自動的に下吹きとするものである。
【００１６】
また、暖房運転立ち上げ時は、制御手段による縮流と共に、吹出口より吹き出される風の一部を吸込口に向けて送り出すように上下風向制御手段を制御するショートサイクル機構も働くものである。
【００１７】
また、左右風向制御手段の縮流又は左右風向制御手段の縮流及び上下風向制御手段の下吹き又は左右風向制御手段の縮流及びショートサイクル機構の設定は、所定時間経過後又は空気調和機の運転が再設定された場合は解除されるものである。
【００１８】
また、左ベーン及び右ベーンの少なくとも一部を多段曲げベーンで構成したものである。
【００１９】
また、多段曲げベーンを２段曲げベーンで構成したものである。
【００２０】
また、冷媒としてＨＦＣ系冷媒、圧縮機の油としてアルキルベンゼン系油またはポリオールエーテル系油またはエステル系油またはテフロン系油を用いるものである。
【００２１】
また、冷媒としてＨＣ系冷媒、圧縮機の油としてアルキルベンゼン系油またはポリオールエーテル系油またはエステル系油またはテフロン系油を用いるものである。
【００２２】
【発明の実施の形態】
実施の形態１．
以下、この発明の実施の形態１を図面を参照して説明する。
図１は実施の形態１を示す図で、縮流機構を設けた左右風向ベーンを備えた空気調和機の側面図である。
図において、１は空気調和機の内部に設けられ、熱交換器と熱交換した空気を室内へ吹き出すための送風機、２はこの送風機１を構成し、電動機で駆動される横長な横流ファン、３は環状の通風路４を有し横流ファン２を収納するケーシング、５はケーシング３の通風路４の終端の吹出口に設けた吹出空気の左右の風向を制御する左右風向制御手段の一例の左右風向ベーン、６は吹出空気の上下の風向を制御する上下風向制御手段の一例の上下フラップである。
【００２３】
実施の形態１に於ける空気調和機は、通風路４の終端に設けた左右風向ベーン５が左ベーンと右ベーンとで構成され、左ベーンと右ベーンとを各々内側へ向き合うように任意の各吹出方向に向かって幅狭に下流側を塞ぐ形に形成することにより縮流させる。
ここで、左ベーンとは吹出口中央から吹出口左端までの間に配置した複数枚のベーンで構成されたものである。但し、吹出口中央に限定されない。
また、右ベーンとは吹出口中央から吹出口右端までの間に配置した複数枚のベーンで構成されたものである。但し、吹出口中央に限定されない。
【００２４】
左右風向ベーン５の左ベーンと右ベーンとは、例えばステッピングモータで駆動され、ステッピングモータはマイコンで上記のように左ベーンと右ベーンとを各々内側へ向き合うように任意の各吹出方向に向かって幅狭に下流側を塞ぐ形になるように制御される。
【００２５】
これらの左ベーンと右ベーンは、それぞれの複数枚のベーンが等ピッチまたは不等ピッチに配置されている。不等ピッチに配置することにより、例えば圧損を減らすことができる。
【００２６】
上述の実施の形態によれば、縮流機構を設けた左ベーンと右ベーンを各々内側へ向き合うように各吹出方向に向かって幅狭に形成させ吹出空気を制御することにより、各任意の風向にてゾーン空調ならびに快適空間の細分化が可能となると共に、さらに無駄のない運転にて省エネの効果もある。
【００２７】
実施の形態２．
実施の形態１に於ける空気調和機において、冷房運転時に高能力運転（ハイパワー運転）が選択された場合には横流ファン２の回転数を上げ、各吹出方向に向かって左ベーンと右ベーンとを縮流させることによりスポット冷房させる。
また、自動運転時に上記設定を行った場合には、上記動作に加えて上下フラップ６を自動的に下吹きとする。
これらの気流制御はある時間経過後または再設定（リモコン）したときに解除される。
【００２８】
上述の実施の形態によれば、冷房運転時に高能力運転（ハイパワー運転）が選択された場合には横流ファン２の回転数を上げ、左ベーンと右ベーンを縮流させることによりスポット冷房としたから冷風感の向上をもたらす効果がある。
また、自動冷房運転時には横流ファン２の回転数を上げ、左ベーンと右ベーンを縮流させることに加え、上下フラップ６を下吹きにすることにより冷気を直接人に当てることが可能となる。
【００２９】
実施の形態３．
実施の形態１に於ける空気調和機において、暖房運転時に高能力運転（ハイパワー運転）が選択された場合には横流ファン２の回転数を下げ、各吹出方向（例えば左右５通り）に向かって左ベーンと右ベーンを縮流させることによりゾーン暖房させる。
また、自動運転時に上記設定を行った場合には上記動作に加えて上下フラップ６を自動的に下吹きとする。
なお、暖房立ち上げ時の場合は、縮流と共にショートサイクル機構も働く。
これらの気流制御は、所定時間経過後または再設定（リモコン）したときに解除される。
上記ショートサイクル機構とは、吹出口より吹き出される風の一部を吸込口に向けて送り出すように各ベーンを各々独立に駆動させることである。
【００３０】
上述の実施の形態によれば、暖房運転時に高能力運転（ハイパワー運転）が選択された場合には横流ファン２の回転数を下げることにより吹出空気温度を上げ、左ベーンと右ベーンとを縮流させることにより吹出風速を増し、暖房時の速暖性能が向上する。
また、自動暖房運転時には横流ファン２の回転数を下げ、左ベーンと右ベーンを縮流させることに加え、風向を床面方向に規制するために上下フラップ６を下吹きにすることにより低温時の暖まりにくい時も、温風の到達度が改善することによって速やかに床面付近の温度を上昇させることができ、暖房時の速暖性を図ることが可能となると同時に快適な住環境を作り出すことができる。
【００３１】
実施の形態４．
図２，３は実施の形態４を示す図で、図２は空気調和機の側面図、図３は縮流機構を設けた２段曲げ左右風向ベーンの構成図である。
図２において、７は２段曲げ左右風向ベーンである。但し、２段曲げに限られたものではなく、複数段曲げであればよい。
図３において、７ａは左ベーン、７ｂは右ベーンである。
左ベーン７ａ、右ベーン７ｂは、少なくとも一部が２段曲げであればよい。
【００３２】
実施の形態４に於ける空気調和機は、通風路４の終端に設けた２段曲げ左右風向ベーン７が左ベーン７ａと右ベーン７ｂとで構成され、実施の形態１〜３と同様左ベーン７ａと右ベーン７ｂとを円弧に近い形状にし各々内側へ向き合うように任意の各吹出方向に向かって幅狭に下流側を塞ぐ形に形成することにより縮流させる。
【００３３】
実施の形態４に於ける空気調和機は、左ベーン７ａと右ベーン７ｂとを２段曲げベーンにしたもので、上記実施の形態１〜３のものより圧損が減り、よりスムーズな気流制御が可能となる。
【００３４】
実施の形態５．
実施の形態５に於ける空気調和機は、上記実施の形態１〜４において、冷媒としてＨＦＣ系冷媒、例えばＲ４１０ＡまたはＲ４０７ＣまたはＲ３２を用いる。
また、圧縮機に使用する油はアルキルベンゼン系油またはポリオールエーテル系油またはエステル系油またはテフロン系油を使用している。
【００３５】
上述の実施の形態によれば、冷媒としてＨＦＣ系冷媒を用いるので、冷媒量が減らせ、安全かつ簡単構造で環境にやさしくリサイクル性が良くなる。また、冷媒圧損が下がって冷房性能が向上する効果をも有する。
【００３６】
実施の形態６．
実施の形態６に於ける空気調和機は、上記実施の形態１〜４において、冷媒としてＨＣ系冷媒、例えばＲ５０、Ｒ１７０、Ｒ２９０、Ｒ６００、Ｒ６００ａ、Ｒ１１５０、Ｒ１２７０を用いる。
また、圧縮機に使用する油はアルキルベンゼン系油またはポリオールエーテル系油またはエステル系油またはテフロン系油を使用している。
【００３７】
上述の実施の形態によれば、冷媒としてＨＣ系冷媒を用いるので、冷媒量が減らせ、安全かつ簡単構造で環境にやさしくリサイクル性が良くなる。また、冷媒圧損が下がって冷房性能が向上する効果をも有する。
【００３８】
上述の実施の形態１〜６に於ける空気調和機は、左右風向ベーン６または２段曲げ左右風向ベーン７を縮流させるために新たに部品を追加することなく、制御部における気流制御方法の変更だけとすること、また、実施の形態５における冷媒変更にともない配管径が小さくなり配管に要する材料を減らす等により、空気調和機のリサイクル性を向上させることができる。
【００３９】
【発明の効果】
この発明に係る空気調和機は、左右風向制御手段の左ベーンと右ベーンとを各々内側へ向き合うように任意の各吹出方向に向かって幅狭に下流側を塞ぐようにして縮流させる制御を行うことにより、各任意の風向にてゾーン空調ならびに快適空間の細分化が可能となり、さらに無駄のない運転にて省エネの効果もある。
【００４０】
また、左ベーンと右ベーンは、それぞれの複数枚のベーンが不等ピッチで配置された構成としたので、圧損を減らすことができる。
【００４１】
また、冷房運転時に高能力運転を選択した場合、送風機の回転数を上げると共に、左右風向制御手段を制御手段により縮流させるので、冷風感の向上をもたらす効果がある。
【００４２】
また、冷房自動運転時に高能力運転を設定した場合、左右風向制御手段の縮流と共に上下風向制御手段を自動的に下吹きとするので、冷気を直接人に当てることが可能となる。
【００４３】
また、暖房運転時に高能力運転を選択した場合、送風機の回転数を下げると共に、左右風向制御手段を制御手段により縮流させるので、吹出風速を増し、温風到達性能が向上する。
【００４４】
また、暖房自動運転時に高能力運転を設定した場合、上下風向制御手段を自動的に下吹きとするので、床面温度を上げることができ快適な住環境を作り出すことができる。
【００４５】
また、暖房運転立ち上げ時は、制御手段による縮流と共に、ショートサイクル機構も働くので、短時間で吹き出し空気温度を上げることができる。
【００４６】
また、左ベーン及び右ベーンの少なくとも一部を多段曲げベーンで構成したので、圧損が減ることにより送風性能（騒音値）が悪化することなくスムーズな気流制御が可能となる。
【図面の簡単な説明】
【図１】  実施の形態１を示す図で、縮流機構を設けた左右風向ベーンを備えた空気調和機の側面図である。
【図２】  実施の形態４を示す図で、空気調和機の側面図である。
【図３】  実施の形態４を示す図で、縮流機構を設けた２段曲げ左右風向ベーンの構成図である。
【符号の説明】
１  送風機、２  横流ファン、３  ケーシング、４  環状の通風路、５  左右風向ベーン、６  上下フラップ、７  ２段曲げ左右風向ベーン、７ａ  左ベーン、７ｂ  右ベーン。
【図１】
0004034014.tif 000002
【図２】
0004034014.tif 000003
【図３】
0004034014.tif 000004